【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
基地局によるワイヤレス通信のための方法であって、
第１のダウンリンク制御情報（ＤＣＩ）フォーマットに従って、少なくとも１つのユーザ機器（ＵＥ）に物理ダウンリンク共有チャネル（ＰＤＳＣＨ）をスケジューリングするためにＤＣＩを生成することと、ここで、前記第１のＤＣＩフォーマットは、１つのＰＤＳＣＨコードワードをスケジューリングする、
前記スケジューリングされたＰＤＳＣＨが基づいているビームフォーミングのタイプについて１つまたは複数のパラメータの指示を前記ＵＥに提供することと、ここで、前記指示は、前記ＰＤＳＣＨが開ループビームフォーミング（ＯＬＢＦ）に基づいているか、または閉ループビームフォーミング（ＣＬＢＦ）に基づいているかの指示を備える、
ダウンリンク制御チャネルにおいて前記ＵＥに前記ＤＣＩを送信することと
を備える、方法。
【請求項２】
前記ＰＤＳＣＨは、従来のキャリアタイプ（ＬＣＴ）とは異なる新しいキャリアタイプ（ＮＣＴ）上での送信のためにスケジューリングされ、前記ＵＥは、前記ＮＣＴ上で通信することができるＵＥタイプであり、一方、他のＵＥタイプは、前記ＮＣＴ上で通信することができない、請求項１に記載の方法。
【請求項３】
前記ダウンリンク制御チャネルは、強化された物理ダウンリンク制御チャネル（ＥＰＤＣＣＨ）を備える、請求項１に記載の方法。
【請求項４】
前記指示は、いくつのまたはどのアンテナポートが前記ビームフォーミングのために使用されるかの、少なくとも１つの指示を備える、請求項１に記載の方法。
【請求項５】
前記ＰＤＳＣＨは、開ループビームフォーミング（ＯＬＢＦ）に基づいており、
前記ＯＬＢＦのためのビームサイクリングリソース粒度は、前記ＰＤＳＣＨに割り当てられたリソースに、少なくとも部分的に、基づいている、
請求項１に記載の方法。
【請求項６】
前記ＰＤＳＣＨは、開ループビームフォーミング（ＯＬＢＦ）に基づいており、
前記ＯＬＢＦのためのビームサイクリングリソース粒度は、前記ＤＣＩが送信される制御チャネルのサーチ空間のタイプに、少なくとも部分的に、基づいている、
請求項１に記載の方法。
【請求項７】
前記ＰＤＳＣＨは、開ループビームフォーミング（ＯＬＢＦ）に基づいており、
前記ＯＬＢＦのためのビームサイクリングリソース粒度は、特定の状況下で、物理リソースブロック（ＰＲＢ）のペアより小さい、請求項１に記載の方法。
【請求項８】
少なくとも１つのビームフォーミングパラメータの指示は、準静的にまたは動的にシグナリングされる、請求項１に記載の方法。
【請求項９】
前記スケジューリングされたＰＤＳＣＨは、マルチユーザ多入力多出力（ＭＵ−ＭＩＭＯ）ＰＤＳＣＨを備える、請求項１に記載の方法。
【請求項１０】
前記指示は、前記ＤＣＩが送信される前記ダウンリンク制御チャネルの送信モードまたは送信ポートのうちの少なくとも１つを介して提供される、請求項１に記載の方法。
【請求項１１】
前記第１のＤＣＩフォーマットのサイズは、前記ダウンリンク制御チャネルが送信されるサーチ空間のタイプに、少なくとも部分的に、依存する、請求項１に記載の方法。
【請求項１２】
ユーザ機器（ＵＥ）によるワイヤレス通信のための方法であって、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、
前記ＰＤＳＣＨが基づいているビームフォーミングのタイプについて１つまたは複数のパラメータを決定することと、ここで、前記決定は、前記ＰＤＳＣＨが開ループビームフォーミング（ＯＬＢＦ）に基づいているか、または閉ループビームフォーミング（ＣＬＢＦ）に基づいているかの受信された指示に基づいている、
前記ＤＣＩおよび前記１つまたは複数のビームフォーミングパラメータに基づいて前記ＰＤＳＣＨを処理することと
を備える、方法。
【請求項１３】
前記ＰＤＳＣＨは、従来のキャリアタイプ（ＬＣＴ）とは異なる新しいキャリアタイプ（ＮＣＴ）上での送信のためにスケジューリングされ、前記ＵＥは、前記ＮＣＴ上で通信することができるＵＥタイプであり、一方、他のＵＥタイプは、前記ＮＣＴ上で通信することができない、請求項１２に記載の方法。
【請求項１４】
前記ダウンリンク制御チャネルは、強化された物理ダウンリンク制御チャネル（ＥＰＤＣＣＨ）を備える、請求項１２に記載の方法。
【請求項１５】
前記決定は、前記第１のＤＣＩフォーマット内の１つまたは複数のフィールドに基づいている、請求項１２に記載の方法。
【請求項１６】
前記決定は、いくつのまたはどのアンテナポートが前記ビームフォーミングのために使用されるかの、少なくとも１つの指示に基づいている、請求項１２に記載の方法。
【請求項１７】
前記ＰＤＳＣＨは、開ループビームフォーミング（ＯＬＢＦ）に基づいており、
前記ＯＬＢＦのためのビームサイクリングリソース粒度は、前記ＰＤＳＣＨに割り当てられたリソースに、少なくとも部分的に、基づいている
請求項１２に記載の方法。
【請求項１８】
前記ＯＬＢＦのための前記ビームサイクリングリソース粒度は、前記ＰＤＳＣＨに割り当てられたリソースのサイズ、前記ＰＤＳＣＨに割り当てられたリソースがローカライズされるかまたは分散されるか、あるいは前記ＰＤＳＣＨがブロードキャストされるかまたはユニキャストされるか、のうちの少なくとも１つに基づいている、請求項１７に記載の方法。
【請求項１９】
物理リソースブロック（ＰＲＢ）またはそれより小さいもののリソース粒度は、前記ＰＤＳＣＨに割り当てられたリソースの前記サイズが、第１のサイズ以下である場合に使用され、
少なくとも１つの物理リソースブロックグループ（ＰＲＧ）のリソース粒度は、前記ＰＤＳＣＨに割り当てられたリソースの前記サイズが、前記第１のサイズより大きい場合に使用される、
請求項１８に記載の方法。
【請求項２０】
前記ＰＤＳＣＨは、開ループビームフォーミング（ＯＬＢＦ）に基づいており、
前記ＯＬＢＦのためのビームサイクリングリソース粒度は、前記ＤＣＩが送信される制御チャネルのサーチ空間のタイプに、少なくとも部分的に、基づいている
請求項１２に記載の方法。
【請求項２１】
前記ＰＤＳＣＨは、開ループビームフォーミング（ＯＬＢＦ）に基づいており、
前記ＯＬＢＦのためのビームサイクリングリソース粒度は、特定の状況下で、物理リソースブロック（ＰＲＢ）のペアより小さい、請求項１２に記載の方法。
【請求項２２】
前記決定は、準静的にまたは動的にシグナリングされる少なくとも１つのビームフォーミングパラメータの指示に基づいている、請求項１２に記載の方法。
【請求項２３】
前記スケジューリングされたＰＤＳＣＨは、マルチユーザ多入力多出力（ＭＵ−ＭＩＭＯ）ＰＤＳＣＨを備える、請求項１２に記載の方法。
【請求項２４】
前記決定は、前記ＤＣＩが送信される前記ダウンリンク制御チャネルの送信モードまたは送信ポートのうちの少なくとも１つに基づいている、請求項１２に記載の方法。
【請求項２５】
前記決定は、ＰＤＳＣＨポートへの前記ダウンリンク制御チャネルポートのマッピングに基づいている、請求項２４に記載の方法。
【請求項２６】
前記第１のＤＣＩフォーマットのサイズは、前記ダウンリンク制御チャネルが送信されるサーチ空間のタイプに、少なくとも部分的に、依存する、請求項１２に記載の方法。
【請求項２７】
ユーザ機器（ＵＥ）によるワイヤレス通信のための装置であって、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、
前記ＰＤＳＣＨが基づいているビームフォーミングのタイプについて１つまたは複数のパラメータを決定することと、ここで、前記決定は、前記ＰＤＳＣＨが開ループビームフォーミング（ＯＬＢＦ）に基づいているか、または閉ループビームフォーミング（ＣＬＢＦ）に基づいているかの受信された指示に基づいている、
前記ＤＣＩおよび前記１つまたは複数のビームフォーミングパラメータに基づいて前記ＰＤＳＣＨを処理することと
を行うように構成される、少なくとも１つのプロセッサと、
前記少なくとも１つのプロセッサに結合されたメモリと
を備える、装置。
【請求項２８】
ユーザ機器（ＵＥ）によるワイヤレス通信のための非一時的なコンピュータ読取可能媒体であって、
物理ダウンリンク共有チャネル（ＰＤＳＣＨ）をスケジューリングするために第１のダウンリンク制御情報（ＤＣＩ）フォーマットのＤＣＩでダウンリンク制御チャネルを受信することと、
前記ＰＤＳＣＨが基づいているビームフォーミングのタイプについて１つまたは複数のパラメータを決定することと、ここで、前記決定は、前記ＰＤＳＣＨが開ループビームフォーミング（ＯＬＢＦ）に基づいているか、または閉ループビームフォーミング（ＣＬＢＦ）に基づいているかの受信された指示に基づいている、
前記ＤＣＩおよび前記１つまたは複数のビームフォーミングパラメータに基づいて前記ＰＤＳＣＨを処理することと
を行うための命令を記憶している、非一時的なコンピュータ読取可能媒体。